(57)【要約】      （修正有）【課題】ストラップ孔の有無に関係なく、ストラップを携帯電子機器の背面に密着係止し、そのストラップに指を挿通する事で携帯電子機器を密着保持し安全安定した操作を可能とする保持体を提供する。【解決手段】面ファスナーのループ面を素材とした平板を平面基板１ａとし、その表面の長尺方一側方部にストラップ３の一端を係止し、他方適切な長さに於いてキャラクター、ぬいぐるみ、アクセサリー等の装飾具４を係止し、その底面に面ファスナーのフック面５を接着し、平面基板１ａのループ面と合着する如く一体構造とし、平面基板１ａを携帯電子機器６又は機器筐体に冠着されたカバーの背面に接着しストラップ３の下側に指を挿通する。【選択図】図１
0003180539.tif 000002
【実用新案登録請求の範囲】
【請求項１】
面ファスゥナーのループ面を素材とした平板を平面基板とし、その裏面に両面接着テープまたは接着剤を塗布し、平面基板の表面長尺方一側方部にストラップの先端を係着し、ストラップの他端にはその底面に面ファスナーのフック面を接着したキャラクター、ぬいぐるみ、アクセサリー等の装飾具を係止しその装飾具を平面基板のループ面に合着する如く一体構造とし、平面基板を携帯電子機器の背面又は携帯電子機器に冠着されたカバーの背面に接着し、ストラップの下側に指を挿通する事により機器筐体を密着保持し、安全・安定した操作を容易にする如く構成した携帯電子機器の保持体。
【請求項２】
請求項１記載の平面基板を一般の織布類又は皮革類又は合成樹脂類等素材自由とし、その裏面に両面接着テープ又は接着剤を塗布し、平面基板の表面長尺方一側方部にストラップの先端を係着し、ストラップの他端には請求項１記載のその底面に面ファスナーのフック面を接着したキャラクター、ぬいぐるみ、アクセサリー等の装飾具を係止し、平面基板上に装飾具と見合う位置に接着した面ファスナーのループ面の一面と合着する如く一体構造とし、平面基板を携帯電子機器の背面又は携帯電子機器に冠着されたカバーの背面に接着し、ストラップの下側に指を挿通する事により前記同様の効果を得る請求項１記載の携帯電子機器の保持体。
【請求項３】
請求項２記載の素材自由になる平面基板の裏面に両面接着テープ又は接着剤を塗布し、平面基板の表面長尺方の二点においてストラップ孔又は結接具によって着脱自由にストラップの両端を係着したる一体構造とし、平面基板を携帯電子機器の背面又は携帯電子機器に冠着されたカバーの背面に接着し、ストラップの下側に指を挿通する事により前記同様の効果を得る請求項１記載の携帯電子機器の保持体。
【請求項４】
請求項２記載の素材自由とした平面基板を携帯電子機器の背面全面及び側面の一部をもって機器筐体に冠着密接し、その表面長尺方の二点においてストラップ孔又は結接具によって着脱自由にストラップの両端を係着したる一体構造とし、ストラップの下側に指を挿通する事により前記同様の効果を得る請求項１記載の携帯電子機器の保持体。
【考案の詳細な説明】
【技術分野】
【０００１】  本考案は携帯電子機器を安全且つ安定して保持し格段に容易な操作と落下を防止する携帯電子機器の保持体に関する。
【背景技術】
【０００２】  近来携帯電子機器は広画面大型となり片手保持が困難にて落下の危険増大し、操作し難く不安定な状態にあり、その問題を解決するべく自己において以前に取得した実用新案登録第３１５６４７４号・技術評価００３５８２・の携帯電子機器の指密着保持体はその機能効果は有効である事は証明されたが、一面に於いて新規製品に対応し難い面が生じた。【０００３】  即ち、近来のスマートホンやタブレット型にはストラップを係止するストラップ孔の無いものもあり、またその位置が上下左右多種多様にて保守操作に支障となる問題も出て来た。【０００４】  又同様に携帯電子機器を保持するための先行技術は多数見られるが、類似技術として特開２００２−１９９０７０にあっては携帯電子機器の背面に指挿通孔と、可撓性帯状体を機器の背面に設ける物であるが、いずれも筐体に加工を施す必要がありそのためには製造メーカーの同意を取り付ける必要があり、此の場合には困難であり形態が固定的で実用されていない。【０００５】  又実願登録３１２４５９１号においては、面ファスナーを機器の背面に接着し、それにリング状にした面ファスナーに限定されたものを着脱させるものであり実際には指の密着度が甘く、又ユーザーの趣向性に適合し難く実用されていない。
【先行技術文献】
【特許文献】
【０００６】
【特許文献１】実用新案登録３１５６４７４
【特許文献２】特開２００２−１９９０７０
【特許文献３】実用新案登録３１２４５９１
【考案の概要】
【考案が解決しようとする課題】
【０００７】  本考案は前述の如く近来の多種多様の携帯電子機器に対して機器自体に設置されるストラップ孔の有無に関わらず独自の構成によるストラップの結接により、簡単にして同等の効果を得ることを課題とする。
【課題を解決するための手段】
【０００８】  携帯電子機器に付設されたストラップ孔の有無やその位置に関係なくストラップを密着装設する為に独自に平面基板を設定し、その表面上長尺方にストラップを二点にて係着した一体構造とし、その平面基板を携帯電子機器の背面に接着し、ストラップの下側に指を挿通す事により携帯電子機器を密着保持する事を可能とし課題を解決する。【０００９】  即ち請求項１に於いては平面基板を面ファスナーのループ面を素材とし、その表面長尺方一側方部にストラップの先端を係着しその他端にはその底面に面ファスナーのフック面を接着したキャラクター、ぬいぐるみ、アクセサリー等の装飾具を係止し、その両面を合着する如く一体構造とし、その平面基板を携帯電子機器の背面に接着する事で上記の課題を解決する。【００１０】  請求項２においては特殊素材である面ファスナーを素材とせず一般織布類や皮革類や合成樹脂類など素材自由とした平板を平面基板とし、その平面基板の表面上長尺方一側方部にストラップの先端を係着し他端に請求項１記載の底面に面ファスナーのフック面を接着した装飾具を係止し、それに対峙する平面基板上に面ファスナーのループ面の一面を接着して両面を合着する如く一体構造とし、平面基板を携帯電子機器の背面に接着する事で前記同様の課題を解決する。【００１１】  請求項３においては請求項２同様の素材自由の平面基板上に二点においてストラップ孔又は結接具によってストラップを係着し、、その平面基板を携帯電子機器の背面に接着する事で前記同様の課題を解決する。【００１２】  請求項４においては、請求項２記載の素材自由とした平面基板を携帯電子機器の背面全面及び側面の一部をもって機器筐体に冠着密接し、その表面長尺方に請求項３記載のストラップを二点において係着した一体構造とする事で前記同様の課題を解決する。
【考案の効果】
【００１３】  本考案は独自の平面基板を基本体としその表面上にストラップおよびストラップに係止されたキャラクター・ぬいぐるみ・アクセサリー等の装飾具を係接した一体構造とした事で、携帯電子機器に付設されているストラップ孔の有無やその位置に関係なく、ユーザーはストラップ孔に結束する煩雑さも無く、平面基板を機器の背面に接着するだけの一動作のみで完結され、前述の如くストラップの下側に指を挿通するか同時にキャラクター等を挟持することで機器筐体を密着保持し安全安定した操作を可能とする事は前案の不足を充足しより有効となるものである。【００１４】  本案の特徴である平面基板を広い面として携帯電子機器の背面に接着する時は、接着面が広く、その面的接着力の実効強度は１０センチ幅の振幅２０００回の実証試験をクリヤーしたものである。【００１５】  本考案の保持体は携帯電子機器の安全安定保持の機能のみならず平面基板やストラップ及びそれに係止された装飾具等すべてに図柄やデザイン加飾の選択の幅が広く趣向性とファッション性でユーザーの興味を引き付ける点は本考案の重要な目的であり、従来の先行技術にはあまり見られ無かったものである。
【図面の簡単な説明】
【００１６】
【図１】ａは請求項１における携帯電子機器の保持体の側面図、ｂはその斜視図。
【図２】請求項２における携帯電子機器の保持体の斜視図。
【図３】ａは請求項３における携帯電子機器の保持体の斜視図、ｂは結接具の一例の実態図。
【図４】請求項４における携帯電子機器の保持体の斜視図。
【図５】携帯電子機器及びタブレットを保持する実態図。
【考案を実施するための形態】
【００１７】  平面基板を基礎本体としその表面にキャラクタアー、ぬいぐるみ、、アクセサリー等の装飾具を係止したストラップを長尺方にて係接しその平面基板を携帯電子機器の背面に密接してなる携帯電子機器の保持体であって以下実施例について説明する。
【実施例１】
【００１８】  請求項１に於いては面ファスナーのループ面を素材とした平板を平面基板１ａとし、その裏面に両面接着テープ又は接着剤２を塗着し、その表面の長尺方一側方部にストラップ３の先端を係着しストラップ３の適切なる長さの位置においてキャラクター、ぬいぐるみ、アクセサリー等の装飾具４を係止しその底面に面ファスナーのフック面５を接着し平面基板１ａのループ面と合着する如く一体構造とした携帯電子機器の保持体であり、平面基板１ａを携帯電子機器６の背面又は携帯電子機器６に冠着密接されたカバーの背面に接着しそのストラップ３の下側に指を挿通する事で機器筐体６を密着保持し安全安定した操作を可能とする。
【実施例２】
【００１９】  請求項２においては、一般の織布類又は皮革類又は合成樹脂類等素材自由による平板を平面基板１ｂとし、その裏面に両面接着テープ又は接着剤２を塗着し、その表面の長尺方一側方部にストラップ３の先端を係着し、他方適切な長さの位置に請求項１記載のその底面に面ファスナーのフック面５を接着したキヤラクター、ぬいぐるみ、アクセサリー等の装飾具４を係止し、それに対峙する位置に平面基板１ｂ上に接着した面ファスナーのループ面の一面７と合着する如く一体構造とし、前記同様平面基板１ｂを携帯電子機器６又はそれに冠着密接されたカバーの背面に接着して請求項１同様の効果を得る。
【実施例３】
【００２０】  請求項３においては、請求項２記載のその裏面に両面接着テープ又は接着剤２を塗着した素材自由による平面基板１ｂの表面上一側方部にストラップ３の先端を係着し、他端において結接具８をもって着脱自由に結接する如く一体構造とし、前記同様に平面基板１ｂを携帯電子機器６の背面又はそれに冠着密接されたカバーの背面に接着する事で請求項１同様の効果を得る。
【実施例４】
【００２１】  請求項４においては素材自由になる平板をもって携帯電子機器６の背面全面及び一部側面にわたって携帯電子機器６に冠着密接された平面基板１ｃであって、その表面長尺方一側方部にストラップ３の先端を係着し、その他端を結接具８をもつて着脱自由に結接する如く一体構造とする事で請求項１同様の効果を得る。
【実施例５】
【００２２】  上記のストラップ３においては、保持を容易にする為の滑り止めとしてビーズ類やアクセサリー等を加飾する事で、機能と装飾性を兼備する事も可能である。
【符号の説明】
【００２３】１ａ  請求項１になる面ファスナーのループ面を素材とした平面基板。
１ｂ  請求項２及び３になる織布類・皮革類・樹脂等の素材自由な平板による平面基板。
１ｃ  請求項４になる携帯電子機器の背面に冠着した素材自由な平板による平面基板。
２  平面基板の裏面に塗着された両面接着テープ又は接着剤。
３  ストラップ。
４  キャラクター・ぬいぐるみ・アクセサリー等の装飾具。
５  装飾具４の裏面に接着した面ファスナーのフック面。
６  携帯電子機器
７  平面基板１ｂ上に接着された面ファスナーのループ面。
８  ストラップ３を係着する為の結接具。
【図１】
0003180539.tif 000003
【図２】
0003180539.tif 000004
【図３】
0003180539.tif 000005
【図４】
0003180539.tif 000006
【図５】
0003180539.tif 000007
【手続補正書】
【提出日】平成24年10月10日(2012.10.10)
【手続補正１】
【補正対象書類名】実用新案登録請求の範囲
【補正対象項目名】全文
【補正方法】変更
【補正の内容】
【実用新案登録請求の範囲】
【請求項１】
面ファスナーのループ面を素材とした平板を平面基板とし、その裏面に両面接着テープまたは接着剤を塗布し、平面基板の表面長尺方一側方部にストラップの先端を係着し、ストラップの他端にはその底面に面ファスナーのフック面を接着したキャラクター、ぬいぐるみ、アクセサリー等の装飾具を係止しその装飾具を平面基板のループ面に合着する如く一体構造とし、平面基板を携帯電子機器の背面又は携帯電子機器に冠着されたカバーの背面に接着し、ストラップの下側に指を挿通する事により機器筐体を密着保持し、安全・安定した操作を容易にする如く構成した携帯電子機器の保持体。
【請求項２】
請求項１記載の平面基板を一般の織布類又は皮革類又は合成樹脂類等素材自由とし、その裏面に両面接着テープ又は接着剤を塗布し、平面基版の表面長尺方一側方部にストラップの先端を係着し、ストラップの他端にはその底面に面ファスナーのフック面を接着したキャラクター、ぬいぐるみ、アクセサリー等の装飾具を係止し、平面基板上に装飾具と見合う位置に接着した面ファスナーのループ面の一面と合着する如く一体構造とし、平面基板を携帯電子機器の背面又は携帯電子機器に冠着されたカバーの背面に接着し、ストラップの下側に指を挿通する事により前記同様の効果を得る請求項１記載の携帯電子機器の保持体。
【請求項３】
請求項１記載の平面基板を一般の織布類又は皮革類又は合成樹脂類等素材自由とし、その平面基板の裏面に両面接着テープ又は接着剤を塗布し、平面基板の表面長尺方の二点においてストラップ孔又は結接具によって着脱自由にストラップの両端を係着したる一体構造とし、平面基板を携帯電子機器の背面又は携帯電子機器に冠着されたカバーの背面に接着し、ストラップの下側に指を挿通する事により前記同様の効果を得る請求項１記載の携帯電子機器の保持体。
【請求項４】
請求項１記載の平面基板を一般の織布類又は皮革類又は合成樹脂類等素材自由とし、その平面基板を携帯電子機器の背面全面及び側面の一部をもって機器筐体に冠着密接し、その表面長尺方の二点においてストラップ孔又は結接具によって着脱自由にストラップの両端を係着したる一体構造とし、ストラップの下側に指を挿通する事により前期同様の効果を得る請求項１記載の携帯電子機器の保持体。